(57)【特許請求の範囲】
【請求項１】
入力した信号の波形を２つのパラメータに基づいて二次元的に表した波形画像とトレースカーソルとを表示部に表示させると共に、前記波形画像と前記トレースカーソルとの交点における当該波形の交点情報を取得可能に構成された波形表示装置であって、
前記２つのパラメータにおける一方のパラメータが所定値のときの他方のパラメータの値について予め設定された合否基準情報を記憶可能に構成され、
前記一方のパラメータが前記所定値となる位置に前記トレースカーソルを位置させたときに取得した前記交点情報に含まれる前記他方のパラメータの値と前記合否基準情報とに基づいて当該交点情報、前記入力した信号、または前記波形についての合否を判定する判定部を備え、
前記判定部は、前記合否の判定結果を前記波形画像および前記トレースカーソルと共に前記表示部に表示させる波形表示装置。
【請求項２】
複数の信号を入力可能に構成され、かつ当該各信号の波形にそれぞれ対応する複数の前記波形画像と複数の前記トレースカーソルとを前記表示部に表示させると共に、前記各波形画像と前記各トレースカーソルとの各交点における当該各波形の前記各交点情報を取得可能に構成され、
前記判定部は、前記一方のパラメータが複数の前記所定値となる位置に前記各トレースカーソルをそれぞれ位置させたときに取得した前記各交点情報に含まれる前記他方のパラメータの各値と当該取得した各交点情報にそれぞれ対応して予め設定された前記合否基準情報とに基づいて当該各交点情報、前記入力した各信号、または前記各波形についての合否を判定する請求項１記載の波形表示装置。
【請求項３】
入力した信号の波形を２つのパラメータに基づいて二次元的に表した波形画像と複数のトレースカーソルとを表示部に表示させると共に、前記波形画像と前記各トレースカーソルとの各交点における当該各波形の各交点情報を取得可能に構成された波形表示装置であって、
前記２つのパラメータにおける一方のパラメータが複数の所定値のときの他方のパラメータの各値に基づく所定情報について予め設定された合否基準情報を記憶可能に構成され、
前記一方のパラメータが前記各所定値となる位置に前記各トレースカーソルをそれぞれ位置させたときに取得した前記各交点情報に含まれる前記他方のパラメータの値に基づく前記所定情報を演算する演算部と、前記演算した所定情報と前記合否基準情報とに基づいて前記各交点情報、当該所定情報、前記入力した信号、または前記波形についての合否を判定する判定部とを備え、
前記判定部は、前記合否の判定結果を前記波形画像および前記トレースカーソルと共に前記表示部に表示させる波形表示装置。
【請求項４】
入力した複数の信号の各波形を２つのパラメータに基づいてそれぞれ二次元的に表した複数の波形画像とトレースカーソルとを表示部に表示させると共に、前記各波形画像と前記トレースカーソルとの各交点における当該各波形の各交点情報を取得可能に構成された波形表示装置であって、
前記２つのパラメータにおける一方のパラメータが所定値のときの他方のパラメータの複数の値に基づく所定情報について予め設定された合否基準情報を記憶可能に構成され、
前記一方のパラメータが前記所定値となる位置に前記トレースカーソルを位置させたときに取得した前記各交点情報に含まれる前記他方のパラメータの値に基づく前記所定情報を演算する演算部と、前記演算した所定情報と前記合否基準情報とに基づいて前記各交点情報、当該所定情報、前記入力した各信号、または前記各波形についての合否を判定する判定部とを備え、
前記判定部は、前記合否の判定結果を前記波形画像および前記トレースカーソルと共に前記表示部に表示させる波形表示装置。
【請求項５】
入力した複数の信号の各波形を２つのパラメータに基づいてそれぞれ二次元的に表した複数の波形画像と複数のトレースカーソルとを表示部に表示させると共に、前記各波形画像と前記各トレースカーソルとの各交点における当該各波形の各交点情報を取得可能に構成された波形表示装置であって、
前記２つのパラメータにおける一方のパラメータが複数の所定値のときの他方のパラメータの各値に基づく所定情報について予め設定された合否基準情報を記憶可能に構成され、
前記一方のパラメータが前記各所定値となる位置に前記各トレースカーソルをそれぞれ位置させたときに取得した前記各交点情報に含まれる前記他方のパラメータの値に基づく前記所定情報を演算する演算部と、前記演算した所定情報と前記合否基準情報とに基づいて前記各交点情報、当該所定情報、前記入力した各信号、または前記各波形についての合否を判定する判定部とを備え、
前記判定部は、前記合否の判定結果を前記波形画像および前記トレースカーソルと共に前記表示部に表示させる波形表示装置。
【発明の詳細な説明】
【０００１】
【発明の属する技術分野】
本発明は、入力した信号の波形を２つのパラメータに基づいて二次元的に表した波形画像とトレースカーソルとを表示部に表示させると共に、波形画像とトレースカーソルとの各交点における交点情報を取得可能に構成された波形表示装置に関するものである。
【０００２】
【従来の技術】
この種の波形表示装置として、図６に示す波形表示装置３１が従来から知られている。この波形表示装置３１は、図７に示すように、２つのパラメータ（この例では時間および電圧）に基づく波形画像４２とトレースカーソル（以下単に「カーソル」ともいう）とを表示すると共に、波形画像４２とカーソルとの交点における波形のパラメータ情報を取得して表示可能に構成されている。具体的には、波形表示装置３１は、図６に示すように、Ａ／Ｄ変換部２、表示部３、操作部３４、制御部３５、ＶＲＡＭ３６、ＲＯＭ３７およびストレージメモリ８を備えて構成されている。Ａ／Ｄ変換部２は、入力信号を波形情報にアナログ−ディジタル変換して出力し、表示部３は、制御部３５の表示制御に従って表示画面（一例として図７に示す表示画面４１）を表示する。操作部３４は、図７に示す縦カーソル４３や横カーソル４７を表示させる位置情報の指示を含む波形表示装置３１に対する各種動作を指示するための複数の操作キーが配置されて構成され、これらのキー操作に応じた操作信号を出力する。制御部３５は、操作部３４を介して入力される操作信号に従って波形表示装置３１を統括的に制御する。また、制御部３５は、Ａ／Ｄ変換部２から出力された波形情報に基づいて生成した波形画像４２や、操作部３４の操作に応じて移動表示される縦カーソル４３および横カーソル４７などを表示させる表示情報をＶＲＡＭ３６に出力することによって表示部３に表示画面４１などを表示させる。さらに、制御部３５は、波形画像４２と縦カーソル４３または横カーソル４７との交点における時間や電圧などの交点情報（波形のパラメータ情報）を取得し、その取得した交点情報を表す数値画像４４ａ，４４ｂ（図７参照）を表示部３に表示させる。ＶＲＡＭ３６は、波形画像４２などを表示させるための各種表示情報を記憶し、ＲＯＭ３７は、制御部３５の動作プログラムを記憶し、ストレージメモリ８は、上記の波形情報を記憶する。
【０００３】
この波形表示装置３１では、例えば、電圧の時間的変化を示す波形画像を表示させ、その表示開始時点または測定開始時点から所定時間（一例として５０ｍｓ）経過した時点における電圧を表示させる場合、まず、入力信号をＡ／Ｄ変換部２に入力する。この際に、制御部３５は、Ａ／Ｄ変換部２によってディジタル変換された波形情報をストレージメモリ８に記憶させると共に、図７に示す表示画面４１を表示部３に表示させるための表示情報をＶＲＡＭ３６に記憶させる。次いで、表示部３が、ＶＲＡＭ３６に記憶されている表示情報に基づいて表示画面４１を表示する。この場合、表示画面４１には、時間を横軸方向のパラメータとして電圧を縦軸方向のパラメータとする波形画像４２、縦カーソル４３、経過時間を示す横軸スケール４５、および電圧を示す縦軸スケール４６が表示される。次に、操作部３４上で所定の操作キーを操作することにより、横軸スケール４５上の例えば「５０ｍｓ」の位置に縦カーソル４３を移動させる。この際には、波形画像４２と縦カーソル４３との交点における経過時間（５０ｍｓ）と電圧（一例として１．５Ｖ）とからなる交点情報が、表示画面４１に数値画像４４ａとして表示される。これにより、測定開始時点から５０ｍｓ経過後の電圧が表示される。
【０００４】
また、測定開始時点から所定の電圧（一例として３．０Ｖ）に達するまでの時間を表示させる際には、所定の操作キーを操作して、図７に示すように、波形画像４２、横軸スケール４５、縦軸スケール４６および横カーソル４７を含んだ表示画面４１を表示部３に表示させる。次に、縦軸スケール４６上の例えば「３．０Ｖ」の位置に横カーソル４７を移動させる。この状態で所定の操作キーを操作することにより、波形画像４２と横カーソル４７との交点における経過時間（一例として６０ｍｓ）と電圧（３．０Ｖ）とが、表示画面４１内に数値画像４４ｂとして表示される。これにより、電圧が３．０Ｖに達するまでの時間が表示される。
【０００５】
【発明が解決しようとする課題】
ところが、従来の波形表示装置３１には、以下の問題点がある。すなわち、従来の波形表示装置３１では、波形画像４２と縦カーソル４３または横カーソル４７との交点における交点情報のみを数値画像４４ａ，４４ｂとして表示している。この場合、表示部３に表示された数値の合否、つまり電圧や時間が適正な状態か否かを判定するには、表示された数値を読み取ってその数値と合否基準とを測定者自らが比較する必要がある。このため、作業が煩雑な上に、判定にある程度の時間を要するため、非効率であるという問題点が存在する。また、読取りや比較の際のミスに起因して判定を誤るおそれもある。さらに、例えば、測定開始時点から所定時間を経過した所定時点における電圧と、その所定時点からさらに所定時間を経過した他の時点における電圧との電圧差が適正な電圧差か否かを判定する際には、縦カーソル４３を移動させて各時点の各電圧を数値画像４４ａとしてそれぞれ表示させてその各電圧を読み取った後に、さらに両電圧の電圧差を測定者自らが求めて判定する必要がある。したがって、このような使用の際には、電圧差を求める作業がさらに加わるため、より煩雑でより長時間を要すると共に誤判定の可能性も高くなるという問題点がある。
【０００６】
本発明は、かかる問題点に鑑みてなされたものであり、入力した信号の波形についての表示のみならず、入力した信号に関する情報の合否を迅速かつ正確にしかも効率よく判定し得る波形表示装置を提供することを主目的とする。
【０００７】
【課題を解決するための手段】
上記目的を達成すべく請求項１記載の波形表示装置は、入力した信号の波形を２つのパラメータに基づいて二次元的に表した波形画像とトレースカーソルとを表示部に表示させると共に、前記波形画像と前記トレースカーソルとの交点における当該波形の交点情報を取得可能に構成された波形表示装置であって、前記２つのパラメータにおける一方のパラメータが所定値のときの他方のパラメータの値について予め設定された合否基準情報を記憶可能に構成され、前記一方のパラメータが前記所定値となる位置に前記トレースカーソルを位置させたときに取得した前記交点情報に含まれる前記他方のパラメータの値と前記合否基準情報とに基づいて当該交点情報、前記入力した信号、または前記波形についての合否を判定する判定部を備え、前記判定部は、前記合否の判定結果を前記波形画像および前記トレースカーソルと共に前記表示部に表示させる。
【０００８】
請求項２記載の波形表示装置は、請求項１記載の波形表示装置において、複数の信号を入力可能に構成され、かつ当該各信号の波形にそれぞれ対応する複数の前記波形画像と複数の前記トレースカーソルとを前記表示部に表示させると共に、前記各波形画像と前記各トレースカーソルとの各交点における当該各波形の前記各交点情報を取得可能に構成され、前記判定部は、前記一方のパラメータが複数の前記所定値となる位置に前記各トレースカーソルをそれぞれ位置させたときに取得した前記各交点情報に含まれる前記他方のパラメータの各値と当該取得した各交点情報にそれぞれ対応して予め設定された前記合否基準情報とに基づいて当該各交点情報、前記入力した各信号、または前記各波形についての合否を判定する。
【０００９】
請求項３記載の波形表示装置は、入力した信号の波形を２つのパラメータに基づいて二次元的に表した波形画像と複数のトレースカーソルとを表示部に表示させると共に、前記波形画像と前記各トレースカーソルとの各交点における当該各波形の各交点情報を取得可能に構成された波形表示装置であって、前記２つのパラメータにおける一方のパラメータが複数の所定値のときの他方のパラメータの各値に基づく所定情報について予め設定された合否基準情報を記憶可能に構成され、前記一方のパラメータが前記各所定値となる位置に前記各トレースカーソルをそれぞれ位置させたときに取得した前記各交点情報に含まれる前記他方のパラメータの値に基づく前記所定情報を演算する演算部と、前記演算した所定情報と前記合否基準情報とに基づいて前記各交点情報、当該所定情報、前記入力した信号、または前記波形についての合否を判定する判定部とを備え、前記判定部は、前記合否の判定結果を前記波形画像および前記トレースカーソルと共に前記表示部に表示させる。
【００１０】
請求項４記載の波形表示装置は、入力した複数の信号の各波形を２つのパラメータに基づいてそれぞれ二次元的に表した複数の波形画像とトレースカーソルとを表示部に表示させると共に、前記各波形画像と前記トレースカーソルとの各交点における当該各波形の各交点情報を取得可能に構成された波形表示装置であって、前記２つのパラメータにおける一方のパラメータが所定値のときの他方のパラメータの複数の値に基づく所定情報について予め設定された合否基準情報を記憶可能に構成され、前記一方のパラメータが前記所定値となる位置に前記トレースカーソルを位置させたときに取得した前記各交点情報に含まれる前記他方のパラメータの値に基づく前記所定情報を演算する演算部と、前記演算した所定情報と前記合否基準情報とに基づいて前記各交点情報、当該所定情報、前記入力した各信号、または前記各波形についての合否を判定する判定部とを備え、前記判定部は、前記合否の判定結果を前記波形画像および前記トレースカーソルと共に前記表示部に表示させる。
【００１１】
請求項５記載の波形表示装置は、入力した複数の信号の各波形を２つのパラメータに基づいてそれぞれ二次元的に表した複数の波形画像と複数のトレースカーソルとを表示部に表示させると共に、前記各波形画像と前記各トレースカーソルとの各交点における当該各波形の各交点情報を取得可能に構成された波形表示装置であって、前記２つのパラメータにおける一方のパラメータが複数の所定値のときの他方のパラメータの各値に基づく所定情報について予め設定された合否基準情報を記憶可能に構成され、前記一方のパラメータが前記各所定値となる位置に前記各トレースカーソルをそれぞれ位置させたときに取得した前記各交点情報に含まれる前記他方のパラメータの値に基づく前記所定情報を演算する演算部と、前記演算した所定情報と前記合否基準情報とに基づいて前記各交点情報、当該所定情報、前記入力した各信号、または前記各波形についての合否を判定する判定部とを備え、前記判定部は、前記合否の判定結果を前記波形画像および前記トレースカーソルと共に前記表示部に表示させる。
【００１２】
【発明の実施の形態】
以下、添付図面を参照して、本発明に係る波形表示装置の好適な実施の形態について説明する。
【００１３】
最初に、波形表示装置１の構成について、図面を参照して説明する。
【００１４】
波形表示装置１は、図２〜５に示すように、２つのパラメータ（一例として電圧および時間）に基づく波形を二次元的に表した波形画像２２ａ〜２２ｃと、縦カーソル２３ａ，２３ｂおよび横カーソル２４ａ，２４ｂなどを表示すると共に、これらの波形画像とカーソルとのそれぞれの交点Ｐ１〜Ｐ１２における電圧および時間（本発明における交点情報）を取得して表示可能に構成されている。具体的には、波形表示装置１は、図１に示すように、Ａ／Ｄ変換部２、表示部３、操作部４、制御部５、表示情報記憶部としてのＶＲＡＭ６、ＲＯＭ７、波形情報記憶部としてのストレージメモリ８、およびＲＡＭ９を備えて構成されている。この場合、Ａ／Ｄ変換部２は、外部から入力した入力信号をアナログ−ディジタル変換して波形情報２７ａを制御部５に出力する。
【００１５】
表示部３は、ＶＲＡＭ６を介して制御部５から出力される表示情報２７ｂに基づいて、図２〜５に示すように、波形情報２７ａに基づく波形を表す波形画像２２ａ〜２２ｃ、縦カーソル２３ａ，２３ｂ、横カーソル２４ａ，２４ｂ、判定結果画像Ｊ１〜Ｊ１４、横軸スケール２６ａ、および縦軸スケール２６ｂを含む表示画面２１〜２１Ｃなどを表示する。この場合、各波形画像２２ａ〜２２ｃは、時間を横軸方向のパラメータとして電圧を縦軸方向のパラメータとして表示される。また、縦カーソル２３ａ，２３ｂおよび横カーソル２４ａ，２４ｂは、操作部４内の操作キーの操作に応じて表示画面２１上を移動表示させられる。さらに、判定結果画像Ｊ１〜Ｊ１０，Ｊ１２，Ｊ１３は、制御部５によって取得された各交点の交点情報（各交点における各波形の電圧または時間）、および制御部５による判定結果を表し、判定結果画像Ｊ１１，Ｊ１４は、取得された各交点情報に基づいて演算される各交点情報相互間の電圧差または時間差（本発明における所定情報）、および制御部５による判定結果を表している。また、横軸スケール２６ａおよび縦軸スケール２６ｂは、時間および電圧のスケールをそれぞれ表示し、各カーソル２３ａ，２３ｂ，２４ａ，２４ｂを移動させる際の位置決めとして機能する。
【００１６】
操作部４は、各判定結果画像として表示されるパラメータ（電圧、電圧差、時間および時間差など）を切り替えるためのモード切替キー、入力信号に関する各種情報についての合否を制御部５に対して判定させるための合否基準情報２７ｄを入力する入力キー、制御部５に対して判定を開始させる判定開始キー、および波形表示装置１の各種動作条件を設定するための複数のキーなどが配設されて構成されている。
【００１７】
制御部５は、本発明における判定部および演算部に相当し、Ａ／Ｄ変換部２によって出力された波形情報２７ａと、内部タイマによって計時する時間との２つのパラメータに基づいて新たな波形情報２７ｃを生成してストレージメモリ８に記憶させる。また、制御部５は、操作部４を介して入力される合否基準情報２７ｄをＲＡＭ９に記憶させる。この場合、合否基準情報２７ｄは、例えば測定開始時点から所定時間を経過した時点における電圧の上下限値や、入力信号の電圧が所定電圧に達するまでの時間の許容時間範囲などのように、制御部５によって取得された電圧や時間についての合否を判定するための数値情報であって、判定対象の入力信号毎に予め規定される。さらに、制御部５は、各波形画像２２ａ，２２ｂや各カーソル２３ａ，２３ｂ，２４ａ，２４ｂなどを表示させるための表示情報２７ｂをＶＲＡＭ６に記憶させることにより、これらの画像を表示部３に表示させる。また、制御部５は、各波形画像２２ａ，２２ｂと各カーソル２３ａ，２３ｂ，２４ａ，２４ｂとの交点における交点情報（電圧および時間など）を取得して、ＲＡＭ９に記憶されている予め設定された合否基準情報２７ｄと比較して、各交点情報、入力信号、または各入力信号の各波形についての合否を判定する。この場合、制御部５は、操作部４内の操作キーを操作した際の各カーソル２３ａ，２３ｂ，２４ａ，２４ｂの移動量と、ＲＡＭ９に記憶されている波形情報とに基づいて、上記の交点情報を演算する。
【００１８】
さらに、制御部５は、取得した各交点情報（電圧や時間）に基づいて、電圧差や時間差などの各交点情報相互間の所定情報を演算し、その演算した所定情報と、入力して予め設定された合否基準情報２７ｄとを比較して、各交点情報、所定情報、入力信号、または各入力信号の各波形についての合否を判定する。この場合、各交点情報相互間の所定情報に対応する合否基準情報２７ｄは、例えば所定時点の電圧と、その所定時点から所定時間を経過した他の時点の電圧との電圧差に対する上下限値や、所定電圧に達した時点から他の所定電圧に達した時点までの時間に対する許容時間範囲などを示す数値情報であって、判定対象の入力信号毎に操作部４を介して入力されてＲＡＭ９に記憶される。また、制御部５は、上記の各判定結果を図２〜５に示す判定結果画像Ｊ１〜Ｊ１４としてＶＲＡＭ６を介して表示部３に表示させる。
【００１９】
ＶＲＡＭ６は、制御部５によって出力される表示情報２７ｂを一時的に記憶すると共に表示部３に出力する。ＲＯＭ７は、制御部５の動作プログラムを記憶し、ストレージメモリ８は、制御部５によって出力される波形情報２７ｃを記憶する。ＲＡＭ９は、制御部５による演算結果や、操作部４を介して入力される合否基準情報２７ｄなどを記憶する。
【００２０】
次に、波形表示装置１の全体的な動作について、図面を参照して説明する。
【００２１】
最初に、電圧の時間的変化が互いに異なる２種類の入力信号を入力して、表示開始時点（例えば測定開始時点）から所定時間（一例として５０ｍｓおよび７０ｍｓ）を経過した時点における各電圧に対する合否判定の例について説明する。
【００２２】
まず、各入力信号における電圧の合否を判定するための合否基準情報２７ｄを例えば操作部４の操作キーを操作して入力する。この場合、例えば、合格基準として、５０ｍｓを経過した時点における下限値を０Ｖおよび上限値を１Ｖとし、７０ｍｓを経過した時点における下限値を２Ｖおよび上限値を３Ｖとする合否基準情報２７ｄを入力したものとする。この際に、制御部５が、入力された合否基準情報２７ｄをＲＡＭ９に記憶させる。次いで、操作部４のモード切替キーを操作して「電圧値判定モード」を選択する。続いて、２種類の入力信号を入力させる。これに応じて、Ａ／Ｄ変換部２が、入力信号をアナログ−ディジタル変換して波形情報２７ａを制御部５に出力する。続いて、制御部５が、波形情報２７ａと時間との２つのパラメータに基づいて波形情報２７ｃを生成してストレージメモリ８に記憶させる。この際に、制御部５は、波形情報２７ｃに基づいて画像表示用の情報を生成して、各カーソル２２ａ等や各スケール２６ａ，２６ｂなど表示するための表示情報と共に表示情報２７ｂとしてＶＲＡＭ６に記憶させる。これにより、表示部３が、ＶＲＡＭ６に記憶されている表示情報２７ｂに基づいて、図２に示すように、波形画像２２ａ，２２ｂ、縦カーソル２３ａ，２３ｂ、横軸スケール２６ａおよび縦軸スケール２６ｂを含む表示画面２１を表示する。
【００２３】
次に、操作部４の操作キーを操作して、例えば、横軸スケール２６ａ上の「５０ｍｓ」の位置に縦カーソル２３ａを移動させると共に「７０ｍｓ」の位置に縦カーソル２３ｂを移動させる。次いで、操作部４の判定開始キーを操作する。この際には、制御部５が、波形画像２２ａ，２２ｂと縦カーソル２３ａとの交点Ｐ１，Ｐ２、および波形画像２２ａ，２２ｂと縦カーソル２３ｂとの交点Ｐ３，Ｐ４における電圧と時間とを取得する。続いて、制御部５が、ＲＡＭ９に記憶されている各合否基準情報２７ｄと、取得した各電圧（一例として０．５Ｖ、１．８Ｖ、２．９Ｖ、３．８Ｖ）とを比較して各電圧についての合否を判定する。この例では、交点Ｐ１，Ｐ３における各電圧値が合否基準情報２７ｄの上下限値の範囲内のため、合格と判定する。一方、交点Ｐ２，Ｐ４における各電圧値については、合否基準情報２７ｄの上下限値の範囲外のため、不合格と判定する。次に、制御部５は、各交点Ｐ１〜Ｐ４における電圧値およびその判定結果をそれぞれ表す判定結果画像Ｊ１〜Ｊ４を含む表示情報２７ｂをＶＲＡＭ６に転送する。これにより、表示部３の表示画面２１上に判定結果画像Ｊ１〜Ｊ４が表示される。
【００２４】
次いで、電圧の時間的変化が互いに異なる２種類の入力信号を入力して、測定開始時点から所定の電圧（一例として１Ｖおよび３Ｖ）に達するまでの時間に対する合否判定の例について説明する。なお、以下の判定方法の説明において、電圧に対する判定方法と同様の動作については重複した説明を省略する。
【００２５】
まず、各入力信号における上記時間についての合否判定用の合否基準情報２７ｄを操作部４の操作キーを操作して入力する。この場合、例えば、合格基準として、１Ｖに達するまでの下限時間を１０ｍＳおよび上限時間を４０ｍＳとし、３Ｖに達するまでの下限時間を４０ｍＳおよび上限時間を６０ｍＳとする合否基準情報２７ｄを入力したものとする。この際には、制御部５が、入力した合否基準情報２７ｄをＲＡＭ９に記憶させる。次いで、操作部４のモード切替キーを操作して「時間判定モード」を選択した後に、２種類の入力信号を入力させる。次いで、電圧についての判定方法と同様にして、表示部３が、図３に示すように、波形画像２２ａ，２２ｂ、横カーソル２４ａ，２４ｂ、横軸スケール２６ａおよび縦軸スケール２６ｂを含む表示画面２１Ａを表示する。続いて、操作部４のモード切替キーを操作して「時間判定モード」を選択する。次いで、縦軸スケール２６ｂ上の「１Ｖ」の位置に横カーソル２４ａを移動させると共に「３Ｖ」の位置に横カーソル２４ｂを移動させる。
【００２６】
続いて、操作部４の測定開始キーを操作する。この際には、制御部５が、波形画像２２ａ，２２ｂと横カーソル２４ａとの交点Ｐ５，Ｐ６、および波形画像２２ａ，２２ｂと横カーソル２４ｂとの交点Ｐ７，Ｐ８における時間（一例として３５ｍｓ（Ｐ５）、５８ｍｓ（Ｐ６）、５６ｍｓ（Ｐ７）、７０ｍｓ（Ｐ８））と各電圧とを取得する。次に、制御部５が、ＲＡＭ９に記憶されている各合否基準情報２７ｄと、取得した各時間とを比較して各時間についての合否を判定する。この例では、交点Ｐ５，Ｐ７における各時間が合否基準情報２７ｄの上下限値の範囲内のため、合格と判定する。一方、交点Ｐ６，Ｐ８における各時間が合否基準情報２７ｄの上下限値の範囲外のため、不合格と判定する。次いで、制御部５は、各交点Ｐ５〜Ｐ８における各時間および各判定結果をそれぞれ表す判定結果画像Ｊ５〜Ｊ８を含む表示情報２７ｂをＶＲＡＭ６に転送する。これにより、表示部３の表示画面２１Ａ上に判定結果画像Ｊ５〜Ｊ８が表示される。
【００２７】
次に、第１の所定時点（一例として測定開始時点から５０ｍｓ経過した時点）における電圧、第２の所定時点（一例として測定開始時点から７０ｍｓ経過した時点）における電圧、および両電圧の電圧差に対する合否判定の例について説明する。
【００２８】
まず、両時点における各電圧および電圧差についての合否判定用の各合否基準情報２７ｄを操作部４の操作キーを操作して入力する。この場合、例えば、合格基準として、５０ｍｓを経過した時点における下限値を０Ｖおよび上限値を２Ｖとし、７０ｍｓを経過した時点における下限値を２Ｖおよび上限値を３Ｖとし、両電圧差に対する下限値を１Ｖおよび上限値を２Ｖとする合否基準情報２７ｄを入力したものとする。次に、操作部４のモード切替キーを操作して「電圧差判定モード」を選択する。続いて、入力信号を入力させる。次いで、電圧についての判定方法と同様にして、表示部３が、図４に示すように、波形画像２２ｃ、縦カーソル２３ａ，２３ｂ、横軸スケール２６ａおよび縦軸スケール２６ｂを含む表示画面２１Ｂを表示する。次に、横軸スケール２６ａ上の「５０ｍｓ」の位置に縦カーソル２３ａを移動させると共に「７０ｍｓ」の位置に縦カーソル２３ｂを移動させる。次いで、操作部４の測定開始キーを操作する。この際には、制御部５が、波形画像２２ｃと縦カーソル２３ａ，２３ｂとの交点Ｐ９，Ｐ１０における各電圧（一例として１．５Ｖおよび３．７Ｖ）と各時間とをそれぞれ取得する。続いて、制御部５は、取得した両電圧とＲＡＭ９に記憶されている合否基準情報２７ｄとを比較して各電圧についての合否を判定する。
【００２９】
次に、制御部５は、交点Ｐ９，Ｐ１０における各電圧の電圧差を演算すると共に、ＲＡＭ９に記憶されている合否基準情報２７ｄと演算した電圧差（一例として２．２Ｖ）とを比較して電圧差についての合否を判定する。この例では、交点Ｐ９における電圧が合否基準情報２７ｄの上下限値の範囲内のため、合格と判定する。一方、交点Ｐ１０における電圧が合否基準情報２７ｄの上下限値の範囲外のため、不合格と判定する。また、両電圧の電圧差についても、合否基準情報２７ｄの上下限値の範囲外のため、不合格と判定する。次いで、制御部５は、交点Ｐ９，Ｐ１０における各電圧および各判定結果を表す判定結果画像Ｊ９，Ｊ１０と、演算した電圧差およびその判定結果を表す判定結果画像Ｊ１１とを含む表示情報２７ｂをＶＲＡＭ６に転送する。これにより、表示部３の表示画面２１Ｂ上に判定結果画像Ｊ９〜Ｊ１１が表示される。
【００３０】
続いて、測定開始時点から第１の所定電圧（一例として１．５Ｖ）に達するまでの第１の時間、測定開始時点から第２の所定電圧（一例として３．５Ｖ）に達するまでの第２の時間、および第２の時間と第１の時間との時間差に対する合否判定の例について説明する。
【００３１】
まず、第１、第２の時間および両時間の時間差に対する合否判定用の合否基準情報２７ｄを操作部４の操作キーを操作して入力する。この場合、例えば、合格基準として、１．５Ｖに達するまでの下限値を４０ｍｓおよび上限値を５０ｍｓとし、３．５Ｖに達するまでの下限値を５０ｍｓおよび上限値を６０ｍｓとし、両時間差に対する下限値を５ｍｓおよび上限値を１０ｍｓとする合否基準情報２７ｄを入力したものとする。次に、操作部４のモード切替キーを操作して「時間差判定モード」を選択する。次いで、入力信号を入力させる。続いて、電圧についての判定方法と同様にして、表示部３が、図５に示すように、波形画像２２ｃ、横カーソル２４ａ，２４ｂ、横軸スケール２６ａおよび縦軸スケール２６ｂを含む表示画面２１Ｃを表示する。次に、縦軸スケール２６ｂ上の「１．５Ｖ」の位置に横カーソル２４ａを移動させると共に、「３．５Ｖ」の位置に横カーソル２４ｂを移動させる。次いで、操作部４の測定開始キーを操作する。この際には、制御部５が、波形画像２２ｃと横カーソル２４ａ，２４ｂとの交点Ｐ１１，Ｐ１２における各電圧と各時間（一例として５０ｍｓおよび６５ｍｓ）とをそれぞれ取得する。次に、制御部５は、取得した両時間とＲＡＭ９に記憶されている合否基準情報２７ｄとを比較して各時間に対する合否を判定する。
【００３２】
次いで、制御部５は、交点Ｐ１１，Ｐ１２における各時間の時間差を演算すると共に、ＲＡＭ９に記憶されている合否基準情報２７ｄと演算した時間差（一例として１５ｍｓ）とを比較して時間差に対する合否を判定する。この例では、交点Ｐ１１における時間が合否基準情報２７ｄの上下限値の範囲内のため、合格と判定する。一方、交点Ｐ１２における時間が合否基準情報２７ｄの上下限値の範囲外のため、不合格と判定する。また、両時間の時間差についても、合否基準情報２７ｄの上下限値の範囲外のため、不合格と判定する。続いて、制御部５は、交点Ｐ１１，Ｐ１２における各時間および各判定結果を表す判定結果画像Ｊ１２，Ｊ１３と、演算した時間差およびその判定結果を表す判定結果画像Ｊ１４を含む表示情報２７ｂをＶＲＡＭ６に転送する。これにより、表示部３の表示画面２１Ｃ上に判定結果画像Ｊ１２〜Ｊ１４が表示される。
【００３３】
このように、この波形表示装置１によれば、制御部５が波形画像（例えば２２ａ）とカーソル（例えば２３ａ）との交点（例えばＰ１）における電圧や波形画像（例えば２２ａ）とカーソル（例えば２４ａ）との交点（例えばＰ５）における時間を取得すると共に合否基準情報２７ｄと取得した電圧や時間とを比較してこれらに対する合否を判定することにより、取得した電圧および時間に対する合否を迅速かつ正確にしかも容易に判定することができる。また、自動的に判定されるため、判定作業の効率を格段に高めることができる。さらに、制御部５が複数の波形画像（例えば２２ａ，２２ｂ）と複数のカーソル（例えば２３ａ，２３ｂ）との各交点（例えばＰ１〜Ｐ４）における各電圧や各時間を取得すると共に取得した各電圧や各時間と対応する各合否基準情報２７ｄとをそれぞれ比較してこれらに対する合否を一時に判定すると共にその判定結果を同一の表示画面（２１または２１Ａ）上に表示することにより、各電圧や各時間に対する合否判定結果を同時に確認できるため、その判定作業の効率を十分に高めることができる。
【００３４】
また、この波形表示装置１によれば、制御部５が電圧と時間とに基づいて二次元表示した波形画像（例えば２２ｃ）と複数のカーソル（例えば２３ａ，２３ｂまたは２４ａ，２４ｂ）との各交点（例えばＰ９，１０またはＰ１１，１２）における電圧（または時間）を取得して電圧差（または時間差）を演算することにより、電圧差（または時間差）を迅速かつ正確にしかも容易に求めることができる。また、制御部５が演算した電圧差（または時間差）と合否基準情報２７ｄとを比較してこれらの合否を判定することにより、電圧差（または時間差）に対する合否を迅速かつ正確にしかも容易に判定することができる。さらに、自動的に判定されるため、判定作業の効率を格段に高めることができる。
【００３５】
なお、本発明は、上記した実施の形態に限定されない。例えば、上記した実施の形態では、一の波形画像（例えば２２ｃ）と複数のカーソル（例えば２３ａ，２３ｂまたは２４ａ，２４ｂ）とを表示させて、電圧、時間および電圧差（または時間差）に対する合否を判定する例について説明したが、本発明は、これに限定されない。例えば、図２，３に示すように、電圧の時間的変化が互いに異なる２種類の波形画像２２ａ，２２ｂと縦カーソル２３ａ（または横カーソル２４ａ）とを表示させて、制御部５に対して、これらの交点Ｐ１，Ｐ２（または交点Ｐ５，Ｐ６）における各電圧および各時間を取得させると共に、これらの交点における両電圧の電圧差（または両時間の時間差）を演算させてその合否を判定させることもできる。この構成によれば、電圧の時間的変化が互いに異なる２種類の波形における任意の時点の電圧差（または任意の電圧に対応する時間差）を迅速かつ正確にしかも容易に求めることができると共に、演算した電圧差（または時間差）と合否基準情報２７ｄとを比較して制御部５が自動的に判定することにより、その電圧差（または時間差）に対する合否を迅速かつ正確にしかも容易に判定することができる。この結果、判定作業の効率を格段に高めることができる。
【００３６】
また、図２，３において、電圧の時間的変化が互いに異なる２種類の波形画像２２ａ，２２ｂと縦カーソル２３ａ，２３ｂ（または横カーソル２４ａ，２４ｂ）とを表示させて、これらの交点Ｐ１〜Ｐ４（または交点Ｐ５〜Ｐ８）における各電圧および各時間を取得させると共に、これらに基づいて、制御部５に対して、任意の交点Ｐ，Ｐにおける各電圧同士の電圧差（例えば、交点Ｐ１，Ｐ２間の電圧差、交点Ｐ１，Ｐ３間の電圧差、および交点Ｐ１，Ｐ４間の電圧差など）、任意の交点Ｐ，Ｐにおける各時間同士の時間差（例えば、交点Ｐ５，Ｐ６間の時間差、交点Ｐ５，Ｐ７間の時間差、および交点Ｐ５，Ｐ８間の時間差など）、および任意の交点Ｐ，Ｐにおける各電圧の和や積などを演算させてその各合否を一時に判定させることもできる。この構成によれば、１つの表示画面において各交点Ｐ，Ｐを任意に選択して組み合わせることで、取得した各交点情報に基づく各種の情報（本発明における所定情報）に対して合否の判定を行わせることができると共に、その各種判定作業の効率をさらに高めることができる。
【００３７】
さらに、上記した実施の形態では、電圧と時間とをパラメータとして波形画像を表示する例について説明したが、本発明はこれに限定されず、電流と時間、電流と電圧、圧力と変位など様々な単位をパラメータとする各種波形についても、上記の方法と同様にして、入力した信号に関する各種情報についての合否を迅速かつ正確に自動判定させることができる。また、上記の実施の形態では、各交点情報についての合否を判定して表示する例について説明したが、本発明は、これに限らず、入力信号、または入力信号の波形を合否判定対象として、判定結果についても、入力信号または入力信号の波形に対する合否判定結果を表示させることが可能なことは勿論である。また、表示画面２１に表示する縦カーソル２３ａ，２３ｂや横カーソル２４ａ，２４ｂの数、並びに入力および表示が可能な信号の数は特に限定されず、適宜変更することが可能である。
【００３８】
【発明の効果】
以上のように、請求項１記載の波形表示装置によれば、２つのパラメータに基づく波形画像とトレースカーソルとの交点における波形の交点情報と予め設定された合否基準情報とに基づいて交点情報、入力した信号、または波形についての合否を判定する判定部を備えたことにより、取得した電圧および時間に対する合否を迅速かつ正確にしかも容易に判定することができる。また、自動的に判定されるため、判定作業の効率を格段に高めることができる。
【００３９】
また、請求項２記載の波形表示装置によれば、判定部が、複数の波形画像と複数のトレースカーソルとの各交点における各交点情報と、各交点情報にそれぞれ対応して予め設定された合否基準情報とに基づいて合否を自動的に判定することにより、複数の波形についての複数の交点情報を一時に判定してその判定結果を一の表示画面上に同時に表示することができるため、判定作業の効率をさらに高めることができる。
【００４０】
また、請求項３〜５記載の波形表示装置によれば、取得した各交点情報に基づく所定情報を演算する演算部と、演算した所定情報と予め設定された合否基準情報とに基づいて、各交点情報、所定情報、入力した信号、または波形についての合否を判定する判定部とを備えたことにより、入力信号に関する各種情報や、複数の入力信号間の各種情報を迅速かつ正確に求めることができると共に、その判定作業を迅速かつ正確に行うことができる結果、判定作業の効率を十分に高めることができる。
【図面の簡単な説明】
【図１】  本発明の実施の形態に係る波形表示装置１の構成を示すブロック図である。
【図２】  波形表示装置１の表示部３に表示画面２１を表示させた状態の表示画面図である。
【図３】  波形表示装置１の表示部３に表示画面２１Ａを表示させた状態の表示画面図である。
【図４】  波形表示装置１の表示部３に表示画面２１Ｂを表示させた状態の表示画面図である。
【図５】  波形表示装置１の表示部３に表示画面２１Ｃを表示させた状態の表示画面図である。
【図６】  従来の波形表示装置３１の構成を示すブロック図である。
【図７】  従来の波形表示装置３１の表示部３に表示画面４１を表示させた状態の表示画面図である。
【符号の説明】
１  波形表示装置
３  表示部
５  制御部
２２ａ〜２２ｃ  波形画像
２３ａ，２３ｂ  縦カーソル
２４ａ，２４ｂ  横カーソル
２７ｄ  合否基準情報
Ｊ１〜Ｊ１４  判定結果画像
Ｐ１〜Ｐ１２  交点
【図１】
0004099002.tif 000002
【図２】
0004099002.tif 000003
【図３】
0004099002.tif 000004
【図４】
0004099002.tif 000005
【図５】
0004099002.tif 000006
【図６】
0004099002.tif 000007
【図７】
0004099002.tif 000008